(57)【要約】【課題】在来浴室におけるデッキが想起されて、重厚感が得られやすい浴室ユニットを提供する。【解決手段】浴槽２と、洗い場床パン３０と、室壁パネル４と、浴槽２に設けられるエプロン５と、室壁パネル４に設けられるカウンター６と、を備える浴室ユニット１である。浴槽２は、本体槽２１と、フランジ２２と、を有する。エプロン５は、フランジ２２に隣接して上方に露出する上面５１０を有する上壁部５１と、上壁部５１の洗い場床パン３０側の部分から下方に向けて設けられる側壁部５２と、を有する。上壁部５１の室壁パネル４側の端縁と、カウンター６の上面６０の室壁パネル４側の端縁とが、直線状に位置する。【選択図】図１
2017006560.tif 000002
【特許請求の範囲】
【請求項１】
平面視において隣接する浴槽および洗い場床パンと、
室壁パネルと、
前記浴槽に設けられるエプロンと、
前記室壁パネルの前記洗い場床パンに対応する部分のうちの前記浴槽に隣接する部分に設けられるカウンターと、を備え、
前記浴槽は、上方に開口する本体槽と、前記本体槽の上端部から外側に向けて設けられるフランジと、を有し、
前記エプロンは、前記フランジに隣接して上方に露出する上面を有する上壁部と、前記上壁部の前記洗い場床パン側の部分から下方に向けて設けられる側壁部と、を有し、
前記上壁部の前記室壁パネル側の端縁と、前記カウンターの上面の前記室壁パネル側の端縁とが、直線状に位置することを特徴とする浴室ユニット。
【請求項２】
前記カウンターの前記上面と前記エプロンの前記上面とが略同一平面であることを特徴とする請求項１記載の浴室ユニット。
【請求項３】
前記カウンターの前記上面は、前記室壁パネル側の端縁から前記室壁パネルより離れる側に向けて下り傾斜を有していることを特徴とする請求項１または２記載の浴室ユニット。
【請求項４】
前記カウンターの前記上面の前記浴槽側の端縁に面取りが施され、前記カウンターの前記上面の前記浴槽側の端縁と前記エプロンの側面との間において前記面取りにより形成される凹みにシール材が設けられることを特徴とする請求項１ないし３のいずれか一項に記載の浴室ユニット。
【請求項５】
前記フランジと前記洗い場床パンとの間に前記エプロンが挟み込まれることを特徴とする請求項１ないし４のいずれか一項に記載の浴室ユニット。
【請求項６】
前記エプロンに補強部材が設けられることを特徴とする請求項１ないし５のいずれか一項に記載の浴室ユニット。
【請求項７】
前記エプロンを支持する支持部材が設けられることを特徴とする請求項１ないし６のいずれか一項に記載の浴室ユニット。
【請求項８】
前記洗い場床パンと一体に前記エプロンが設けられることを特徴とする請求項１ないし７のいずれか一項に記載の浴室ユニット。
【発明の詳細な説明】
【技術分野】
【０００１】
本発明は、浴室ユニットに関し、詳しくは、浴槽と洗い場床パンとの間にエプロンが設けられる浴室ユニットに関する。
【背景技術】
【０００２】
従来、浴槽と洗い場床パンとの間にエプロンが設けられる浴室ユニットが知られている（例えば特許文献１参照）。
【先行技術文献】
【特許文献】
【０００３】
【特許文献１】特開２０１１−６７４４３号公報
【発明の概要】
【発明が解決しようとする課題】
【０００４】
ところで、従来は、囲い壁内に浴槽が設置されてなる在来浴室がよく利用されていた。この在来浴室においては、囲い壁の上面のデッキが広い面積を占めており、重厚感が得られやすいものであった。これに対し、特許文献１に示される浴室ユニットにあっては、エプロンが上方を向く露出面をほとんど有しないため、重厚感に乏しいものであった。
【０００５】
本発明は上記従来の問題点に鑑みて発明したものであって、その目的とするところは、在来浴室におけるデッキが想起されて、重厚感が得られやすい浴室ユニットを提供することにある。
【課題を解決するための手段】
【０００６】
本発明に係る浴室ユニットは、平面視において隣接する浴槽および洗い場床パンと、室壁パネルと、前記浴槽に設けられるエプロンと、前記室壁パネルの前記洗い場床パンに対応する部分のうちの前記浴槽に隣接する部分に設けられるカウンターと、を備え、前記浴槽は、上方に開口する本体槽と、前記本体槽の上端部から外側に向けて設けられるフランジと、を有し、前記エプロンは、前記フランジに隣接して上方に露出する上面を有する上壁部と、前記上壁部の前記洗い場床パン側の部分から下方に向けて設けられる側壁部と、を有し、前記上壁部の前記室壁パネル側の端縁と、前記カウンターの上面の前記室壁パネル側の端縁とが、直線状に位置することを特徴とする。
【発明の効果】
【０００７】
本発明にあっては、エプロンが上面を有することとなって、在来浴室におけるデッキが想起され、在来浴室のような重厚感が得られやすくなる。
【図面の簡単な説明】
【０００８】
【図１】図１は第一実施形態の浴室ユニットの要部の斜視図である。
【図２】図２は第一実施形態の浴室ユニットの一部を除いた分解斜視図である。
【図３】図３Ａは第一実施形態の浴室ユニットの他例における一部を除いた分解斜視図であり、図３Ｂは第一実施形態の浴室ユニットのさらに他例における一部を除いた分解斜視図である。
【図４】図４は第一実施形態の浴室ユニットの要部の図１とは異なる角度から見た斜視図である。
【図５】図５Ａは第一実施形態のエプロンの下端部を堰部に固定する前の状態を示す要部断面図であり、図５Ｂは第一実施形態のエプロンの下端部を堰部に固定した後の状態を示す要部断面図である。
【図６】図６は第一実施形態の浴室ユニットのさらに他例における要部斜視図である。
【図７】図７は第二実施形態の浴室ユニットの要部断面図である。
【図８】図８は第三実施形態の浴室ユニットの要部断面図である。
【図９】図９は第四実施形態の浴室ユニットの要部断面図である。
【図１０】図１０は第五実施形態の浴室ユニットの要部断面図である。
【発明を実施するための形態】
【０００９】
本発明の第一実施形態の浴室ユニットについて、図１ないし図６に基いて説明する。
【００１０】
図１に示すように、浴室ユニット１は、少なくとも、浴槽２と、洗い場床パン３０と、室壁パネル４と、エプロン５と、カウンター６と、を備えるものである。
【００１１】
第一実施形態の浴室ユニット１は、図２に示すように、浴槽床パン３１と、洗い場床パン３０と、室壁パネル４と、天井パネル７と、を有する外殻部を備えており、この外殻部が建物躯体の浴室形成スペースの床に設置される。
【００１２】
第一実施形態では、平面視において、矩形状をした浴槽床パン３１と矩形状をした洗い場床パン３０とが隣接した状態で、建物躯体の床に載置される。浴槽床パン３１と洗い場床パン３０とにより、全体で平面視矩形状をした床部３が形成される。床部３、浴槽床パン３１および洗い場床パン３０は、平面視矩形状が好ましいが、特に形状は限定されない。
【００１３】
第一実施形態では、床部３を構成する浴槽床パン３１および洗い場床パン３０は、高さ調節可能な支持部材を介して、建物躯体の床に載置される。高さ調節可能な支持部材としては、いわゆるアジャスターボルトが好ましいが、特に限定されない。支持部材は、高さ調節可能でなくてもよいし、支持部材が設けられず、浴槽床パン３１および洗い場床パン３０が建物躯体の床に直接載置されてもよい。なお、床部３は、第一実施形態では浴槽床パン３１および洗い場床パン３０により構成されているが、図３Ａに示すように、浴槽設置部３２１および洗い場部３２２を有する一つの全面床パン３２により構成されてもよい。この場合には、全面床パン３２のうちの洗い場部３２２の部分が洗い場床パン３０となる。
【００１４】
図１に示すように、洗い場床パン３０（全面床パン３２の洗い場部３２２である場合を含む）は、一部に排水口３０１が設けられており、床面は排水口３０１に向けて下り勾配を有している。
【００１５】
浴槽２は、浴槽床パン３１に載置される。なお、床部３として全面床パン３２が設けられる場合には、浴槽２は浴槽設置部３２１に載置される。また、浴室ユニット１が浴槽床パン３１を備えない場合には、浴槽２は、図３Ｂに示すように、建物躯体の床に載置される架台３３に載置されるか、建物躯体の床に直接載置される。全面床パン３２および架台３３は、アジャスターボルトのような高さ調節可能な支持部材（図３Ｂ中の符号３３１参照）を介して、建物躯体の床に載置されるのが好ましい。
【００１６】
浴槽２は、図１に示すように、槽側壁および槽底壁を有して上方に開口する本体槽２１と、本体槽２１の上端部から外側に向けて設けられるフランジ２２と、を有するものである。平面視におけるフランジ２２外郭の形状は、概ね矩形状をしているのが好ましいが、特に限定されない。第一実施形態では、洗い場への離接方向（図１中の符号１０）と直交する方向に長い概ね矩形状をし、洗い場に隣接する辺のみ、中央部へ行く程洗い場側に位置する曲線状をなしている。
【００１７】
また、本体槽２１とフランジ２２との区別が明確でなくてもよい。第一実施形態では、本体槽２１とフランジ２２との境界部分が、本体槽２１とフランジ２２とに連続する滑らかな曲線状となっているが、特にこのような形状に限定されない。
【００１８】
浴槽２には、図１に示すように、本体槽２１内の湯や水等（以下、湯水という）を排出する排出口と、給湯器等からの湯水を本体槽２１内に吐出する吐出口２３と、を備えている。排出口の開閉する栓の操作部２４がフランジ２２に設けられている。
【００１９】
図１に示すように、浴槽２から洗い場床パン３０にかけて、室壁パネル４が設けられるものである。すなわち、浴槽２から洗い場床パン３０の離接方向１０に沿って、浴槽２と洗い場床パン３０とに跨って室壁パネル４が設けられる。
【００２０】
第一実施形態では、図２に示すように、室壁パネル４は、平面視矩形状をした床部３の周縁全周に立設されており、通常はこのように床部３の全周に室壁パネル４が設けられる。床パン（浴槽床パン３１および洗い場床パン３０）は、床部３の周縁となる端縁に起立片３４が設けられる。床部３として全面床パン３２が設けられる場合には、全面床パン３２の周縁全周に起立片３４が設けられる。そして、起立片３４に室壁パネル４が載置される。室壁パネル４の一部には、出入口となる開口が形成され、この出入口に扉が設けられる。なお、床部３の周縁全周に室壁パネル４が設けられず、かわりに扉枠等が設けられたり、一部に室壁パネル４等が設けられずに浴室内外が通じていてもよい。
【００２１】
洗い場床パン３０は、図１、図４に示すように、床部３の周縁とならない端縁、すなわち、浴槽床パン３１と隣接する端縁に堰部３５が設けられる。堰部３５により、洗い場床パン３０から浴槽２側に湯や水が流出するのが抑制される。
【００２２】
図２に示すように、室壁パネル４の上端部に、天井パネル７が載置されて、浴室ユニット１の外殻部が形成される。天井パネル７には、一部に、浴室内を照らす照明装置を備えてもよい。また、天井パネル７に開口が設けられ、この開口を介して換気を行う換気装置が設けられてもよい。換気装置としては、換気機能のみならず、浴室内に暖気を吐出する暖房機能や、浴室内に温水ミストを吐出するミスト浴機能等を任意に備えてもよく、これらの機能としては既存の様々なものが適宜適用可能である。
【００２３】
浴槽２の室壁パネル４側の端縁は、図１に示すように、室壁パネル４と直線状の境界部１１にて隣接している。第一実施形態では、浴槽２のフランジ２２の室壁パネル４側の端縁と室壁パネル４とが境界部１１において隣接するように配置され、この間にシール材が設けられている。
【００２４】
浴槽２および洗い場床パン３０は、図１に示すように、平面視において隣接するものである。なお、平面視において、浴槽２のフランジ２２および後述するエプロン５と洗い場床パン３０とが一部において重複してもよい。
【００２５】
図１に示すように、浴槽２にエプロン５が設けられるものである。エプロン５は、上壁部５１と側壁部５２とを有するもので、第一実施形態では側面視略逆Ｌ字状をしたものである。
【００２６】
上壁部５１は、図４に示すように、フランジ２２に隣接して、上方に露出する上面５１０を有するものである。第一実施形態では、上壁部５１は、板面が上方を向いて上面５１０をなす板部材により構成されているが、板部材でなく塊状部材でもよい。上面５１０は、上方を向く平面であることが好ましいが、特に厳密に上方を向かなくてもよく、また、平面でなくてもよい。すなわち、上面５１０全体の平均的な向きが上向きであればよい。
【００２７】
このようなエプロン５の上面５１０により、囲い壁内に浴槽が設置されてなる、従来よく用いられていた在来浴室におけるような、囲い壁の上面のデッキが想起される。
【００２８】
上壁部５１の室壁パネル４側の端縁は、図４に示すように、室壁パネル４と直線状の境界部１２にて隣接している。第一実施形態では、エプロン５の上壁部５１と室壁パネル４とが境界部１２において隣接するように配置され、この間にシール材が設けられている。
【００２９】
上壁部５１は、第一実施形態では、図４に示すように、フランジ２２側の端縁部がフランジ２２の下側に位置するように設けられる。フランジ２２には、洗い場床パン３０側の端縁部の下面側に凹段部２２１が形成されており、この凹段部２２１に上壁部５１が挿入される。上壁部５１のフランジ２２側の端縁部は、フランジ２２と当接してもよいし、フランジ２２と離間してもよい。前記いずれの場合でも上壁部５１とフランジ２２との間にシール材が設けられることが好ましい。
【００３０】
上壁部５１がフランジ２２の凹段部２２１に挿入された状態で、上壁部５１の上面５１０が広く露出するのが好ましい。第一実施形態では、浴槽２と洗い場床パン３０の離接方向１０における上壁部５１の上面５１０の露出部分の長さが、フランジ２２の洗い場側への突出量が大きい中央部で３ｃｍ程度、フランジ２２の洗い場側への突出量が小さい端部近傍で１０ｃｍ程度となっている。上壁部５１の上面５１０の露出部分の前記長さは平均で５〜７ｃｍ程度であるが、前記数値は一例であって限定されるものではなく、またフランジ２２の形状に応じて前記長さも適宜変更可能である。
【００３１】
側壁部５２は、図４に示すように、上壁部５１の洗い場床パン３０側の部分から下方に向けて設けられるものである。第一実施形態では、側壁部５２は、上壁部５１の洗い場床パン３０側の端縁部から洗い場床パン３０に向けて設けられ、板面が洗い場床パン３０側に露出する側面５２０をなす板部材により構成されている。側面５２０は、平面であってもよいし、平面でなくてもよく、特に限定されない。側壁部５２の下端部５２３は、洗い場床パン３０と当接してもよいし、洗い場床パン３０と離間してもよい。さらに、第一実施形態では、側壁部５２の下端部５２３に底壁部５３が設けられている。
【００３２】
底壁部５３は、図４に示すように、側壁部５２の下端部５２３から浴槽２側に向けて突出するもので、エプロン５が設けられたときに、洗い場床パン３０の堰部３５にかけて位置する。
【００３３】
図５Ａ、図５Ｂに示すように、エプロン５の側壁部５２に、本体槽２１側に突出する突出部５４が設けられている。また、堰部３５には、洗い場側に開口する略Ｃ字状をした受け部３６が設けられている。エプロン５は、上端部を中心として図５Ａに示すように、下端部５２３が洗い場側から本体槽２１側に移動し、図５Ｂに示すように、突出部５４が受け部３６に受けられて固定される。なお、エプロン５の下端部５２３の堰部３５への固定は他の方法によるものであってもよく、限定されない。
【００３４】
第一実施形態では、図４に示すように、エプロン５は、側壁部５２の上下方向中間部で分断されて、上壁部５１および上側の側壁部５２１を有する上部材５０１と、下側の側壁部５２２および底壁部５３を有する下部材５０２と、に分割されている。そして、上部材５０１は位置が固定されている。第一実施形態では、上部材５０１を構成する上壁部５１および上側の側壁部５２１の側端部が、ビス等の固着具や嵌合や接着等により、室壁パネル４に固定されているが、同様にしてフランジ２２に固定されてもよい。
【００３５】
室壁パネル４は、図１に示すように、洗い場床パン３０に対応する部分のうちの浴槽２に隣接する部分にカウンター６が設けられるものである。すなわち、浴槽２と洗い場床パン３０との離接方向１０と直交する方向に位置する室壁パネル４のうちの少なくとも一方の側の室壁パネル４に、カウンター６が設けられる。
【００３６】
カウンター６は、洗い場の離接方向１０の全長にわたって設けられる必要はないが、全長にわたって設けられてもよい。カウンター６は、少なくとも、離接方向１０における浴槽２に隣接する端縁に設けられる。
【００３７】
第一実施形態では、カウンター６は、室壁パネル４と一体に形成されているが、別体のカウンター６が室壁パネル４に取り付けられてもよい。
【００３８】
カウンター６は、図１に示すように、石鹸等の物品の載置面となる上面６０を有する。カウンター６の上面６０は、上方を向く平面であることが好ましいが、特に厳密に上方を向かなくてもよく、また、平面でなくてもよい。すなわち、上面６０全体の平均的な向きが上向きであればよい。第一実施形態では、カウンター６の上面６０は、平面をなしている（一部に平面でない部分があってもよい）。さらに、カウンター６の上面６０は、室壁パネル４側の端縁から室壁パネル４より離れる側に向けて、角度θが１〜２［ｄｅｇ］の下り傾斜を有している。カウンター６の上面６０が下り傾斜を有することにより、上面６０に湯水等が残り難くなる。なお、カウンター６の上面６０がこのような下り傾斜を有しなくてもよい。
【００３９】
図１に示すように、カウンター６の上面６０の室壁パネル４側の端縁は、室壁パネル４と直線状の境界部１３にて隣接している。第一実施形態では、境界部１３においてカウンター６と室壁パネル４とが一体に連続しているが、カウンター６と室壁パネル４とが別体の場合には、直線状の境界部１３にシール材が設けられてもよい。
【００４０】
カウンター６の上面６０の浴槽２側の端縁６０１および側面は、エプロン５の側壁部５２の側面５２０に隣接している。第一実施形態では、図１に示すように、カウンター６の上面６０の浴槽２側の端縁６０１をはじめ、カウンター６のエッジ部に面取り６２が施されている。そこで、図６に示すように、カウンター６の上面６０の浴槽２側の端縁６０１とエプロン５の側面５２０との間において、端縁６０１に施された面取り６２により形成される凹みにシール材６３が設けられてもよい。このように、シール材６３が設けられることにより、湯水が残って黴が発生するのが抑制される。また、シール材６３が面取り６２が施された凹みに設けられることにより、シール材６３が目立ちにくくなる。なお、カウンター６の上面６０の浴槽２側の端縁６０１にこのようなシール材６３が設けられなくてもよい。
【００４１】
図１に示すように、カウンター６の前面６１、すなわち洗い場中央部側を向く面は、所定の上下長さを有している。第一実施形態では、カウンター６の前面６１の下端部６１１は、エプロン５の上部材５０１の側面５２０の下端部５２４と略同じ高さとなっている。また、カウンター６の前面６１の上端部６１２は、エプロン５の上面５１０より、カウンター６の上面６０の下り傾斜により下がる分だけ低い高さとなっている。
【００４２】
カウンター６の浴槽２と反対側の側面は、室壁パネル４と隣接していてもよいし、室壁パネル４と離間していてもよい。
【００４３】
そして、図１に示すように、エプロン５の上壁部５１の上面５１０の室壁パネル４側の端縁と、カウンター６の上面６０の室壁パネル４側の端縁６０１とが、直線状に位置するものである。すなわち、エプロン５の上壁部５１の室壁パネル４側の端縁と室壁パネル４との直線状の境界部１２と、カウンター６の上面６０の室壁パネル４側の端縁と室壁パネル４との直線状の境界部１３とが、同一直線上に位置するものである。なお、直線状というのは、厳密な直線ではなく、見る人が特に注意を払って見ない場合に直線と感じる程度の直線度を有するものであればよい。
【００４４】
第一実施形態では、図１に示すように、カウンター６の下側に、カウンター下カバー１４が設けられる。カウンター下カバー１４は、ビス等の固着具や嵌合や接着等により、室壁パネル４に固定される。カウンター下カバー１４の内部に、配管等が設けられてもよい。
【００４５】
上述した浴室ユニット１においては、エプロン５の上面５１０によりデッキが想起されて、在来浴室のような重厚感が得られやすくなる。さらに、エプロン５の上面５１０とカウンター６の上面６０とが一体的に見えやすくなって、エプロン５とカウンター６の一体感が得られやすくなる。
【００４６】
また、第一実施形態ではカウンター６の上面６０が下り傾斜しているため、エプロン５の上面５１０とカウンター６の上面６０とは厳密には同一平面とはならない。しかしながら、第一実施形態では、カウンター６の上面６０のエプロン５の上面５１０に対する傾斜が若干（第一実施形態のように１〜２［ｄｅｇ］程度）で略同一平面であって、上面５１０および上面６０が同一平面に見えやすくなる。これにより、より一層、エプロン５とカウンター６の一体感が得られやすくなる。また、エプロン５の上面５１０とカウンター６の上面６０とが厳密な同一平面であってももちろんよい。
【００４７】
本発明の第二実施形態の浴室ユニットについて、図７に基いて説明する。なお、第二実施形態は第一実施形態と大部分において同じであるため、同じ構成については同符号を付して説明を省略し、主に異なる部分について説明する。
【００４８】
第一実施形態では、図５に示すように、突出部５４および受け部３６によりエプロン５の下端部が洗い場床パン３０の堰部３５に固定されていた。これに対し第二実施形態では、図７に示すように、エプロン５の下端部（底壁部５３）が堰部３５の上面に載置され、エプロン５の上面５１０がフランジ２２の下面に位置するように設けられる。そして、フランジ２２と洗い場床パン３０との間にエプロン５が挟み込まれることに特徴を有する。
【００４９】
エプロン５には、上壁部５１の本体槽２１側の部分（端部）から上方に起立する起立片５５が設けられている。また、浴槽２のフランジ２２には、洗い場側の部分（端部）から垂下する垂下片２２２が設けられている。起立片５５は垂下片２２２よりも本体槽２１側に位置するようにエプロン５が取り付けられる。これにより、エプロン５の上端部が洗い場側に脱落するのが抑制される。
【００５０】
また、エプロン５の下端部は、堰部３５に対して、ビス等の固着具や嵌合等、既存の様々な方法により固定される。
【００５１】
これにより、エプロン５に強度をもたせることで、エプロン５のデッキ（上面５１０）にかかる荷重がエプロン５を介して支持されるため、デッキの耐荷重性が向上する。
【００５２】
本発明の第三実施形態の浴室ユニットについて、図８に基いて説明する。なお、第三実施形態は第二実施形態と大部分において同じであるため、同じ構成については同符号を付して説明を省略し、主に異なる部分について説明する。
【００５３】
第三実施形態では、第二実施形態において、さらに、エプロン５に補強部材５６が設けられることに特徴を有する。
【００５４】
補強部材５６は、エプロン５の上壁部５１の下面と底壁部５３の上面とに接触して設けられている。補強部材５６は、ビス等の固着具や嵌合や接着等の既存の様々な方法により、エプロン５に固定される。
【００５５】
これにより、エプロン５に強度をもたせることができ、より一層、デッキの耐荷重性が向上する。
【００５６】
本発明の第四実施形態の浴室ユニットについて、図９に基いて説明する。なお、第四実施形態は第二実施形態と大部分において同じであるため、同じ構成については同符号を付して説明を省略し、主に異なる部分について説明する。
【００５７】
第四実施形態では、第二実施形態において、さらに、エプロン５を支持する支持部材１５が設けられることに特徴を有する。
【００５８】
支持部材１５は、エプロン５の下端部（底壁部５３）と洗い場床パン３０との間に設けられている。支持部材１５は、ビス等の固着具や嵌合や接着等の既存の様々な方法により、エプロン５または洗い場床パン３０またはその両方に固定される。
【００５９】
これにより、より一層、デッキの耐荷重性が向上する。
【００６０】
なお、支持部材１５は、第三実施形態において設けられてもよい。
【００６１】
本発明の第五実施形態の浴室ユニットについて、図１０に基いて説明する。なお、第五実施形態は第一実施形態と大部分において同じであるため、同じ構成については同符号を付して説明を省略し、主に異なる部分について説明する。
【００６２】
第一実施形態では、図５に示すように、洗い場床パン３０とは別体のエプロン５設けられていた。これに対し第五実施形態では、図１０に示すように、洗い場床パン３０と一体にエプロン５が設けられることに特徴を有する。
【００６３】
洗い場床パン３０には、第一実施形態における堰部３５に対応する位置から、上方に向けて、エプロン５の側壁部５２が一体に起立されている。第五実施形態では、洗い場床パン３０に堰部３５が設けられず、エプロン５に底壁部５３が設けられていない。
【００６４】
これにより、エプロン５のデッキ（上面５１０）と洗い場床パン３０とが一体に設けられるため、より一層、デッキの耐荷重性が向上する。
【００６５】
本発明の浴室ユニット１は、平面視において隣接する浴槽２および洗い場床パン３０と、室壁パネル４と、を備える。浴室ユニット１は、浴槽２に設けられるエプロン５と、室壁パネル４の洗い場床パン３０に対応する部分のうちの浴槽２に隣接する部分に設けられるカウンター６と、を備える。浴槽２は、上方に開口する本体槽２１と、本体槽２１の上端部から外側に向けて設けられるフランジ２２と、を有する。エプロン５は、フランジに隣接して上方に露出する上面５１０を有する上壁部５１と、上壁部５１の洗い場床パン３０側の部分から下方に向けて設けられる側壁部５２と、を有する。上壁部５１の室壁パネル４側の端縁と、カウンター６の上面６０の室壁パネル４側の端縁とが、直線状に位置することを特徴とする。これにより、エプロン５が上面５１０を有することとなって、在来浴室におけるデッキが想起され、在来浴室のような重厚感が得られやすくなる。
【００６６】
また、カウンター６の上面６０とエプロン５の上面５１０とが略同一平面であることが好ましい。これにより、より一層、在来浴室のような重厚感が得られやすくなる。
【００６７】
また、カウンター６の上面６０は、室壁パネル４側の端縁から室壁パネル４より離れる側に向けて下り傾斜を有していることが好ましい。これにより、上面６０に湯水等が残り難くなる。
【００６８】
また、カウンター６の上面６０の浴槽２側の端縁６０１に面取り６２が施され、カウンター６の上面６０の浴槽２側の端縁６０１とエプロン５の側面５２０との間において面取り６２により形成される凹みにシール材６３が設けられていることが好ましい。これにより、湯水が残って黴が発生するのが抑制される。
【００６９】
また、フランジ２２と洗い場床パン３０との間にエプロン５が挟み込まれることが好ましい。これにより、エプロン５の上面５１０の耐荷重性が向上する。
【００７０】
また、エプロン５に補強部材５６が設けられることが好ましい。これにより、エプロン５に強度をもたせることができ、より一層、デッキの耐荷重性が向上する。
【００７１】
また、エプロン５を支持する支持部材１５が設けられることが好ましい。これにより、より一層、デッキの耐荷重性が向上する。
【００７２】
また、洗い場床パン３０と一体にエプロン５が設けられることが好ましい。これにより、より一層、デッキの耐荷重性が向上する。
【符号の説明】
【００７３】
１    浴室ユニット
２    浴槽
２１  本体槽
２２  フランジ
３０  洗い場床パン
４    室壁パネル
５    エプロン
５１  上壁部
５１０  上面
５２  側壁部
６    カウンター
６０  上面
【図１】
2017006560.tif 000003
【図２】
2017006560.tif 000004
【図３】
2017006560.tif 000005
【図４】
2017006560.tif 000006
【図５】
2017006560.tif 000007
【図６】
2017006560.tif 000008
【図７】
2017006560.tif 000009
【図８】
2017006560.tif 000010
【図９】
2017006560.tif 000011
【図１０】
2017006560.tif 000012